(57)【要約】【課題】通信ネットワークに接続できない環境下であっても、メディア記録媒体の購入までの補助を容易かつ詳細に行うことができる放送システム及び情報処理装置を提供する。【解決手段】放送システム１は、音声情報に重畳された文字情報を含む放送電波を送信する放送システムにおいて、音楽情報及び／又は映像情報が記録されているメディア記録媒体の購入をユーザに対して補助するための補助情報を、前記文字情報として送信する。これにより、通信ネットワークに接続できない環境下であっても、メディア記録媒体の購入までの補助を容易かつ詳細に行うことができる。【選択図】          図１
2007189551.tif 000002
【特許請求の範囲】
【請求項１】
音声情報に重畳された文字情報を含む放送電波を送信する放送システムにおいて、
音楽情報及び／又は映像情報が記録されているメディア記録媒体の購入をユーザに対して補助するための補助情報を、前記文字情報として送信することを特徴とする放送システム。
【請求項２】
前記補助情報を管理する管理装置と前記補助情報を所定のエリア内において受信できるように前記放送電波を送信する送信所とを複数備え、
前記管理装置は、前記補助情報を前記送信所毎にカスタマイズすることを特徴とする請求項１に記載の放送システム。
【請求項３】
前記補助情報は、前記メディア記録媒体を取り扱う店舗に関する情報を含むことを特徴とする請求項１又は２に記載の放送システム。
【請求項４】
音声情報に重畳された文字情報を含む放送電波を受信し前記文字情報を表示させる情報処理装置において、
前記文字情報に含まれる、音楽情報及び／又は映像情報が記録されているメディア記録媒体の購入をユーザに対して補助するための補助情報を表示させるための処理を行うことを特徴とする情報処理装置。
【請求項５】
ユーザの現在位置から目的地までの経路を探索するナビゲーション手段を有し、
前記補助情報は、前記メディア記録媒体を取り扱う店舗の位置情報を含み、
前記ナビゲーション手段は、前記現在位置から前記店舗の位置までの経路を探索するための処理を行うことを特徴とする請求項４に記載の情報処理装置。
【請求項６】
前記補助情報は、前記メディア記録媒体を取り扱う複数の店舗に関する情報を含み、
前記店舗に関する情報は、前記店舗の位置情報を含み、
前記ナビゲーション手段によって探索された前記現在位置から前記複数の店舗の位置までの経路に応じて、前記複数の店舗に関する情報を所定の順序で表示させるための処理を行うことを特徴とする請求項５に記載の情報処理装置。
【請求項７】
前記補助情報は、前記メディア記録媒体を取り扱う店舗に関する情報を含み、
所定の条件に基づいて前記店舗に関する情報を強調表示させるための処理を行うことを特徴とする請求項４乃至６の何れかに記載の情報処理装置。
【請求項８】
予め設定されたキーワードに関連する補助情報を優先して表示させるための処理を行うことを特徴とする請求項４乃至７の何れかに記載の情報処理装置。
【発明の詳細な説明】
【技術分野】
【０００１】
本発明は、放送システム及び情報処理装置に関する。
【背景技術】
【０００２】
文字情報が放送波に重畳された多重放送しては、例えばＦＭ多重放送や文字多重テレビ放送などがある。近年、このＦＭ多重放送の文字情報を利用して、レコード会社は、メディア記録媒体であるＣＤ（Compact  Disc）やＤＶＤ（Digital  Versatile  Disk）等の新譜情報のプロモーションが可能となった。これにより、ユーザは発売前の新譜情報を容易に入手できるようになった。
また、インターネットなどに接続可能な通信端末を利用して、このような商品の購入を補助する技術についても提案されている（特許文献１参照）
【０００３】
【特許文献１】特開２００２−４８５６４号公報
【発明の開示】
【発明が解決しようとする課題】
【０００４】
しかし、このような文字情報を利用した新譜情報のプロモーションは、ユーザに商品の購入までを補助するものではなく、単なる情報の宣伝にすぎなかった。また、購入までの補助を受けるためには、通信ネットワークに接続可能な機能が必要であり、使用できる環境も限定されていた。
【０００５】
本発明は上記問題に鑑みてなされたものであり、通信ネットワークに接続できない環境下であっても、メディア記録媒体の購入までの補助を容易かつ詳細に行うことができる放送システム及び情報処理装置を提供することを目的とする。
【課題を解決するための手段】
【０００６】
上記目的は、音声情報に重畳された文字情報を含む放送電波を送信する放送システムにおいて、音楽情報及び／又は映像情報が記録されているメディア記録媒体の購入をユーザに対して補助するための補助情報を、前記文字情報として送信する放送システムによって達成できる。
この構成により、通信ネットワークに接続できない環境下であってもユーザに対してメディア記録媒体を購入するまでの補助を容易に行うことができる。また、ユーザはメディア記録媒体を購入するまでの補助を無料で受けることができる。
【０００７】
また、上記構成において、前記補助情報を管理する管理装置を備え、前記管理装置は、通信ネットワークを介して前記補助情報がアップロードされる、構成を採用できる。
この構成により、容易に補助情報をアップロードすることができる。特に、メディア記録媒体の販売元であるレコード会社や、メディア記録媒体を店頭販売するＣＤショップなどは、容易に補助情報をアップロードすることができる。従って、レコート会社やＣＤショップは容易にメディア記録媒体の宣伝活動を行うことができる。
【０００８】
また、上記構成において、前記補助情報を管理する管理装置と前記補助情報を所定のエリア内において受信できるように前記放送電波を送信する送信所とを複数備え、前記管理装置は、前記補助情報を前記送信所毎にカスタマイズする、構成を採用できる。
この構成により、所定のエリア毎にカスタマイズされた補助情報を送信できるので、ユーザに対して地域に応じた詳細な補助を行うことができる。
【０００９】
また、上記構成において、前記補助情報は、前記メディア記録媒体を取り扱う店舗に関する情報を含む、構成を採用できる。
この構成により、ユーザに対してメディア記録媒体を購入するまでの補助を行うことができる。尚、前記メディア記録媒体を取り扱う店舗に関する情報は、前記店舗の名称に関する情報、前記店舗の位置情報、前記店舗の営業時間の情報、前記メディア記憶媒体の価格情報、前記店舗で享受できる特典に関する情報及び前記メディア記録媒体の在庫に関する情報のうち少なくとも一つが含まれている。
【００１０】
また、上記構成において、前記補助情報は、前記メディア記録媒体に関する情報を含む、構成を採用できる。
この構成により、ユーザに対してメディア記録媒体を購入するまでの補助を行うことができる。尚、前記メディア記録媒体に関する情報は、アーティストに関する情報、タイトルの情報及び発売日の情報のうち少なくとも一つが含まれている。
【００１１】
また、上記目的は、音声情報に重畳された文字情報を含む放送電波を受信し前記文字情報を表示させる情報処理装置において、前記文字情報に含まれる、音楽情報及び／又は映像情報が記録されているメディア記録媒体の購入をユーザに対して補助するための補助情報を表示させるための処理を行う情報処理装置によっても達成できる。
この構成により、通信ネットワークに接続できない環境下であっても、ユーザはメディア記録媒体を購入するまでの補助を受けることができる。
【００１２】
また、上記構成において、ユーザの現在位置から目的地までの経路を探索するナビゲーション手段を有し、前記補助情報は、前記メディア記録媒体を取り扱う店舗の位置情報を含み、前記ナビゲーション手段は、前記現在位置から前記店舗の位置までの経路を探索するための処理を行う、構成を採用できる。
この構成により、メディア記録媒体を取り扱う店舗の位置を「目的地」又は「経由地」として設定することにより、ユーザはメディア記録媒体を購入するまでの補助をより詳細に受けることができる。
【００１３】
また、上記構成において、前記補助情報は、前記メディア記録媒体を取り扱う複数の店舗に関する情報を含み、前記店舗に関する情報は、前記店舗の位置情報を含み、前記ナビゲーション手段によって探索された前記現在位置から前記複数の店舗の位置までの経路に応じて、前記複数の店舗に関する情報を所定の順序で表示させるための処理を行う、構成を採用できる。
この構成により、ユーザの現在の状況に適した表示を行うことができ、メディア記録媒体を購入するまでの補助をより詳細に受けることができる。尚、前記所定の順序は、前記店舗の位置が現在位置に近い順、前記店舗の位置が（既に設定された）目的地までの経路に近い順及び前記店舗の位置へアクセスしやすい順のうち少なくとも一つである。
【００１４】
また、上記構成において、前記補助情報は、前記メディア記録媒体を取り扱う店舗に関する情報を含み、所定の条件に基づいて前記店舗に関する情報を強調表示させるための処理を行う、構成を採用できる。
この構成により、ユーザに重要な情報を通知することができる。
【００１５】
また、上記構成において、予め設定されたキーワードに関連する補助情報を優先して表示させるための処理を行う、構成を採用できる。
この構成により、ユーザは予めキーワードを設定することにより、所望の補助情報を優先して表示させることができる。このため、所望の補助情報の見落としを防ぐことができ、複数ある情報の中から所望の情報を探し出す手間を省くことができる。
【００１６】
また、上記構成において、前記補助情報は、前記メディア記録媒体を取り扱う店舗に関する情報を含む、構成を採用できる。
この構成により、ユーザに対してメディア記録媒体を購入するまでの補助を行うことができる。尚、前記メディア記録媒体を取り扱う店舗に関する情報は、前記店舗の名称に関する情報、前記店舗の位置情報、前記店舗の営業時間の情報、前記メディア記憶媒体の価格情報、前記店舗で享受できる特典に関する情報及び前記メディア記録媒体の在庫に関する情報のうち少なくとも一つが含まれている。
【００１７】
また、上記構成において、前記補助情報は、前記メディア記録媒体に関する情報を含む、構成を採用できる。
この構成により、ユーザに対してメディア記録媒体を購入するまでの補助を行うことができる。尚、前記メディア記録媒体に関する情報は、アーティストに関する情報、タイトルの情報及び発売日の情報のうち少なくとも一つが含まれている。
【発明の効果】
【００１８】
本発明によれば、通信ネットワークに接続できない環境下であっても、メディア記録媒体の購入までの補助を容易かつ詳細に行うことができる放送システム及び情報処理装置を提供することができる。
【発明を実施するための最良の形態】
【００１９】
以下、図面を参照して本発明に係る実施例を説明する。
【００２０】
図１は、本発明に係る一実施例の放送システムの全体を示す構成図である。
放送システム１は、店舗情報通知部２００ａ、２０１ａ…、メディア記録媒体情報通知部３００ａ、管理サーバ４００、送信部５００ａ、５０１ａ…、送信所６００、６０１、６０２…、車載用ナビゲーション装置（情報処理装置）１０などから構成される。
【００２１】
店舗情報通知部２００ａ、２０１ａ…は、ＣＤショップ（音楽情報及び／又は映像情報が記録されているメディア記録媒体を取り扱う店舗）２００、２０１…に設置されている。メディア記録媒体情報通知部３００ａは、レコード会社３００に設置されている。送信部５００ａ、５０１ａ…は、ＦＭラジオ局５００、５０１…に設置されている。
【００２２】
ＣＤショップ２００、２０１…は、ＣＤやＤＶＤ（音楽情報及び／又は映像情報が記録されているメディア記録媒体）などを一般客に店頭販売を行う。また、詳しくは後述するが、店舗情報通知部２００ａ、２０１ａ…は、店舗に関する情報（補助情報）を管理サーバ４００へアップロードする。
尚、店舗に関する情報は、ＣＤショップ２００の店舗の名称に関する情報、前記店舗の位置情報、前記店舗の営業時間の情報、前記メディア記憶媒体の価格情報及び前記店舗で享受できる特典に関する情報のうち少なくとも一つが含まれている。
【００２３】
レコード会社３００は、ＣＤやＤＶＤなどの販売元であり、ＣＤなどの宣伝活動を行う。また、詳しくは後述するが、メディア記録媒体情報通知部３００ａは、ＣＤやＤＶＤなどのメディア記録媒体に関する情報（補助情報）を管理サーバ４００へアップロードする。
尚、メディア記録媒体に関する情報は、アーティストに関する情報、タイトルの情報及び発売日の情報のうち少なくとも一つが含まれている。
【００２４】
管理サーバ４００は、メディア記録媒体の購入をユーザに対して補助するための補助情報を管理する。また、管理サーバ４００は、インターネットなどの通信ネットワークを介して補助情報がアップロードされる。ここで、補助情報とは、店舗情報通知部２００ａ、２０１ａ…からアップロードされた店舗に関する情報及びメディア記録媒体情報通知部３００ａからアップロードされたメディア記録媒体に関する情報をいう。管理サーバ４００は、音楽情報管理テーブル（補助情報）として作成し管理する。また、管理サーバ４００は、音楽情報管理テーブルをカスタマイズして送信用の音楽情報管理テーブルをＦＭラジオ局５００、５０１に送信する。
【００２５】
ＦＭラジオ局５００、５０１…に設置された送信部５００ａ、５０１ａ…は、音声情報に重畳された文字情報を含む放送電波を各送信所６００に送信する。尚、音声情報に重畳された文字情報は、送信用の音楽情報管理テーブルである。
送信所６００、６０１、６０２…は、補助情報を所定のエリア内において受信できるように放送電波を送信する。
車載用ナビゲーション装置１０は、音声情報に重畳された文字情報を含む放送電波を受信し、文字情報の表示が可能に形成されている。また、送信部５００ａ、５０１ａ…から送信所６００、６０１、６０２…を介して送信された、送信用の音楽情報管理テーブルを所定の方法で表示させる。
本発明に係る放送システム１によって、メディア記録媒体の購入をユーザに対して補助するための補助情報を文字情報として送信することにより、ユーザにＣＤ等の購入するまでの補助を容易に行うことができる。
【００２６】
次に、管理サーバの処理の一例について説明する。図２は、管理サーバの処理の一例を示すフローチャートである。図３は、管理サーバにアップロードされるデータなどの一例を示した図である。
【００２７】
管理サーバ４００は、メディア記録媒体情報通知部３００ａからメディア記録媒体に関する情報がインターネットなどの通信ネットワークを介してアップロードされる（ステップＳ１１）。図３の（ａ）はメディア記録媒体に関する情報３１０の一例を示している。メディア記録媒体に関する情報３１０は、アーティスト名、アーティストの性別、出身などのアーティストに関する情報、アルバム名などのタイトルの情報、発売日の情報、ジャケット写真、音楽のジャンル、などを含む。このように、レコード会社３００は、メディア記録媒体情報通知部３００ａからメディア記録媒体に関する情報を通信ネットワークを介して容易にアップロードすることができる。従って、レコート会社３００は容易にメディア記録媒体の宣伝活動を行うことができる。
【００２８】
また、管理サーバ４００は、店舗情報通知部２００ａ、２０１ａ…から店舗に関する情報が通信ネットワークを介してアップロードされる（ステップＳ１２）。図３の（ｂ）は店舗に関する情報２１０の一例を示している。店舗に関する情報２１０は、アーティスト名、アルバム名、その店舗での販売価格、店舗の位置情報、店舗の名称・営業時間、店舗で享受できる特典に関する情報、特典を享受できる有効期限に関する情報などを含む。これにより、ＣＤショップ２００、２０１…は、店舗情報通知部２００ａ、２０１ａ…から、通信ネットワークを介して店舗に関する情報を容易にアップロードすることができる。従って、ＣＤショップ２００は容易にメディア記録媒体の宣伝活動を行うことができる。また、レコード会社３００とＣＤショップ２００とが一体となって宣伝活動を行うことができる。
【００２９】
管理サーバ４００は、メディア記録媒体に関する情報３１０と店舗に関する情報２１０とを組み合わせて、音楽情報管理テーブル４１０を作成して管理する（ステップＳ１３）。図３の（ｃ）は、音楽情報管理テーブル４１０の一例を示している。
【００３０】
次に、管理サーバ４００は、音楽情報管理テーブル４１０を送信所６００毎にカスタマイズして、送信用の音楽情報管理テーブル４２０を作成する（ステップＳ１４）。図３の（ｄ）は、送信用の音楽情報管理テーブル４２０の一例を示している。具体的には、管理サーバ４００は、図３の（ｃ）に示す音楽情報管理テーブル４１０の、ジャンル、性別及び出身の情報を削除することにより送信用の音楽情報管理テーブル４２０を作成する。
【００３１】
この送信用の音楽情報管理テーブルは、複数ある送信所６００、６０１、６０２…毎にカスタマイズされて作成される。即ち、管理サーバ４００は、各送信所からの放送波を受信可能なエリアにおけるターゲット（例えば、聴取層、性別、好まれるジャンルなど）に合わせた送信用の音楽情報管理テーブルを作成する。従って、所定のエリア毎にカスタマイズされた送信用の音楽情報管理テーブルを送信できるので、ユーザに対して地域に応じた詳細な補助を行うことができる。
【００３２】
尚、音楽情報管理テーブル４１０についてのカスタマイズの方法については、上記の例に限定されない。また、音楽情報管理テーブル４１０に他の情報を追加して送信用の音楽情報管理テーブルを作成してもよい。また、全ての送信所に対して同一の送信用の音楽情報管理テーブルを送信するようにしてもよい。
【００３３】
送信用の音楽情報管理テーブル４２０を作成した後は、管理サーバ４００は、送信用の音楽情報管理テーブル４２０をＦＭラジオ局５００、５０１…の送信部５００ａ、５０１ａ…に送信して（ステップＳ１５）、この処理を終了する。
尚、送信部５００ａ、５０１ａ…は、各送信所毎にカスタマイズされた送信用の音楽情報管理テーブルを、各送信所に送信する。各送信所からはそれぞれ異なる内容の送信用の音楽情報管理テーブルが送信されるため、車載用ナビゲーション装置１０は、エリアに応じて異なる内容の文字情報を受信することができる。従って、ユーザに対して地域に応じた詳細な補助を行うことができる。
【００３４】
以上のように、放送システム１は、メディア記録媒体の購入をユーザに対して補助するための補助情報を、文字情報として送信する。これにより、通信ネットワークに接続できない環境下であってもユーザに対してメディア記録媒体を購入するまでの補助を容易に行うことができる。また、ユーザはメディア記録媒体を購入するまでの補助を無料で受けることができる。
【００３５】
次に、車載用ナビゲーション装置について説明する。
図４は、本発明に係る一実施例の車載用ナビゲーション装置の構成図である。
車載用ナビゲーション装置１０は、マイコン（ナビゲーション手段）１１、車速センサ１２、ジャイロセンサ１３、ＧＰＳ（Global  Positioning  System）受信機１４、ハードディスク装置（ＨＤＤ）１５、アンプ１８、スピーカ１９、操作部２０、表示部２１、多重放送受信装置２２などを備える。
【００３６】
マイコン１１は、ＲＯＭ（Read  Only  Memory）、ＣＰＵ（Central  Processing  Unit）、ＳＲＡＭ（Static  Random  Access  Memory）等のハードウェア、所要のソフトウェアにより実現され、車載用ナビゲーション装置１０全体を制御するものである。
【００３７】
車速センサ１２は、車速から演算して走行距離を取得する。ジャイロセンサ１３は、車両の進行方向を検出する。ＧＰＳ受信機１４は、アンテナ１４ａを介して衛星からのＧＰＳ信号を受信する。車速センサ１２、ジャイロセンサ１３、ＧＰＳ受信機１４は、マイコン１１に接続されている。マイコン１１は、車速センサ１２及びジャイロセンサ１３から取り込んだ信号に基づいて、走行距離及び進行方向を演算して自車位置を割り出すとともに（自律航法）、ＧＰＳ受信機１４から取り込んだＧＰＳ信号に基づいて自車位置を割り出すようになっている（ＧＰＳ航法）。
【００３８】
ＨＤＤ１５は、データの読み書きが可能であり、電子地図データ、目的地の候補地に関する情報が収録された目的地情報データベース１５ａが記憶されている。
マイコン１１は、自車位置と電子地図データなどから、ユーザの現在位置から目的地までの経路を探索する。
【００３９】
また、各種の操作や設定等を行うための操作部２０がマイコン１１に接続されている。操作部２０は、リモコン（図示せず）や表示部２１に設けられたジョイスティックやボタンスイッチ、表示部２１を構成する表示パネル（図示せず）の前面に設けられたタッチパネルスイッチなどにより構成されており、各種のスイッチから出力されたスイッチ信号や、座標信号がマイコン１１に入力され、これらスイッチ信号や座標信号に応じた処理がマイコン１１で行われるようになっている。
【００４０】
多重放送受信装置２２は、音声情報に重畳された文字情報を含む放送電波を受信する。マイコン１１は、多重放送受信装置２２が受信した放送電波に含まれる音声情報をアンプ１８により増幅させてスピーカ１９より音声出力する処理を行う。また、マイコン１１は、多重放送受信装置２２が受信した放送電波に含まれる文字情報を表示部２１に表示させるための処理を行う。
【００４１】
また、マイコン１１は、送信用の音楽情報管理テーブル（補助情報）４２０を受信し表示させるための処理を行う。また、マイコン１１は、現在位置から前記店舗の位置までの経路を探索するための処理を行う。また、マイコン１１は、現在位置から複数の店舗の位置までの経路に応じて、複数の店舗に関する情報を所定の順序で表示させるための処理を行う。また、マイコン１１は、所定の条件に基づいて前記店舗に関する情報を強調表示させるための処理を行う。また、マイコン１１は、予め設定されたキーワードに関連する補助情報を優先して表示させるための処理を行う。詳しくは後述する。
【００４２】
次に、前述した送信用の音楽情報管理テーブル４２０を文字情報として受信したときの、車載用ナビゲーション装置１０の表示部２１に表示される一例について説明する。図５は、表示部２１に表示される例示図である。
【００４３】
マイコン１１は、送信用の音楽情報管理テーブル４２０から、表示用リスト１００を作成し表示部２１に表示させる。図５の（ａ）は、表示部２１に表示された表示用リスト１００を示している。表示用リスト１００には、アーティスト名などのメディア記録媒体に関する情報と、価格や店名、営業時間などの店舗に関する情報が表示される。これにより、ユーザはどの店舗に行けばそのＣＤを購入することができるか詳細に把握することができる。以上のように、通信ネットワークに接続できない環境下であっても、ユーザはメディア記録媒体を購入するまでの補助を受けることができる。
【００４４】
また、ユーザは、例えば表示部２１のアーティスト名「ＡＡＡＡ」１１０に触れることにより、図５の（ｂ）に示すように他の情報は表示されなくなる。これにより、ユーザは所望のアーティストによるメディア記録媒体を取り扱っている店舗に関する情報のみを表示させることができる。また、複数の店舗に関する情報がある場合には、マイコン１１は、ユーザの現在の位置情報と店舗の位置情報とに基づいて、現在位置から近い順、経路に近い順又はアクセスしやすい順に従って店舗に関する情報を表示させることができる。詳しくは後述する。
【００４５】
次に、所定の店舗を目的地又は経由地に設定する場合について説明する。図６は、所定の店舗を目的地又は経由地に設定する場合に表示部２１に表示される例示図である。ユーザは、図５の（ｂ）の店名「○○」１２０に触れることにより、図６に示すように、現在の自車位置と店舗の位置とを地図上に表示させる。ユーザは、「目的地設定」１３０に触れることによりその店舗を目的地として設定でき、車載用ナビゲーション装置１０は、その店舗までの経路を誘導案内する。また、既に目的地が設定されている場合には、「経由地設定」１４０を触れることにより、その店舗の位置を経由地として設定することができる。
【００４６】
次に、店舗の位置を目的地又は経由地として設定する処理の一例について説明する。図７は、店舗の位置を目的地又は経由地として設定する処理の一例を示すフローチャートである。尚、この処理は、車載用ナビゲーション装置１０が駆動している間は、一定周期で実行される。
【００４７】
マイコン１１は、受信した音楽情報管理テーブルにメディア記録媒体を取り扱う店舗の位置情報が含まれているかどうかを判定する（ステップＳ２１）。含まれていない場合は、この処理を終了する。含まれている場合は、マイコン１１は店舗の位置情報を取得し（ステップＳ２２）、店舗の位置が目的地として設定されたかどうかを判定する（ステップＳ２３）。目的地として設定された場合には、マイコン１１は、現在位置から店舗の位置までの経路を探索するための処理を行い（ステップＳ２４）、ユーザを店舗の位置まで誘導案内をする（ステップＳ２５）。
【００４８】
目的地として設定されていない場合は、マイコン１１は、経由地に設定されたかどうかを判定する（ステップＳ２６）。経由地に設定されていない場合には、この処理を終了する。経由地に設定された場合には、マイコン１１は、店舗の位置を経由地として経路を探索し（ステップＳ２７）、ユーザを店舗の位置まで誘導案内をする（ステップＳ２５）。このように、現在位置から前記店舗の位置までの経路を探索するための処理を行うことにより、メディア記録媒体を取り扱う店舗の位置を目的地又は経由地として設定することができ、ユーザはメディア記録媒体を購入するまでの補助をより詳細に受けることができる。
【００４９】
次に、現在位置から複数の店舗の位置までの経路に応じて、複数の店舗に関する情報を所定の順序で表示させるための処理の一例について説明する。図８は、現在位置から複数の店舗の位置までの経路に応じて、複数の店舗に関する情報を所定の順序で表示させるための処理の一例を示すフローチャートである。尚、この処理は、車載用ナビゲーション装置１０が駆動している間は一定周期で実行される。
【００５０】
マイコン１１は、受信した音楽情報管理テーブルにメディア記録媒体を取り扱う店舗の位置情報が複数含まれているかどうかを判定する（ステップＳ３１）。店舗の位置情報が複数含まれていない場合には、マイコン１１は、この処理を終了する。店舗の位置情報が複数含まれている場合には、マイコン１１は、複数の店舗の位置情報を取得し（ステップＳ３２）、現在位置から各店舗までの経路を算出する（ステップＳ３３）。次に、マイコン１１は、各店舗に対して現在位置から近い順に順位付けを行う（ステップＳ３４）。これにより、店舗に関する情報を現在位置から近い順序で表示させることができる。
【００５１】
次に、マイコン１１は、既に目的地が設定されているかどうかを判定する（ステップＳ３５）。既に目的地が設定されている場合には、マイコン１１は、既に設定されている目的地までの経路上での地点から各店舗までの経路を算出する（ステップＳ３６）。次に、マイコン１１は、各店舗に対して、既に設定されている目的地までの経路上での地点から近い順に順位付けを行う（ステップＳ３７）。これにより、店舗に関する情報を既に設定されている目的地までの経路上での地点から近い順序で表示させることができる。
【００５２】
次に、マイコン１１は、ＶＩＣＳ（Vehicle  Information  and  Communication  System）等から得た交通情報に基づいて、各店舗に対してアクセスしやすい順に順位付けを行う（ステップＳ３８）。これにより、店舗に関する情報をアクセスしやすい順序で表示させることができる。
【００５３】
図９は、所定の順序で表示させるための処理により作成された順位テーブルの例示図である。このように店舗に関する情報に、現在位置から近い順位、経路に近い順位、アクセスしやすい順位を付けることにより、各店舗に関する情報を各順位で表示させることが可能となる。
【００５４】
以上のように、マイコン１１によって探索された現在位置から複数の店舗の位置までの経路に応じて、複数の店舗に関する情報を所定の順序で表示させるための処理を行う。これにより、ユーザの現在の状況に適した表示を行うことができ、メディア記録媒体を購入するまでの補助をより詳細に受けることができる。
【００５５】
次に、所定の条件に基づいて店舗に関する情報を強調表示させるための処理の一例について説明する。図１０は、所定の条件に基づいて店舗に関する情報を強調表示させるための処理の一例を示すフローチャートである。尚、店舗に関する情報に、店舗で享受することができる特典の有効期限に関する情報が含まれており、この有効期限を強調表示させる場合を一例として説明する。尚、この処理は、車載用ナビゲーション装置１０が駆動している間は一定周期で実行される。
【００５６】
マイコン１１は、受信した音楽情報管理テーブルに、店舗で享受することができる特典の有効期限に関する情報があるかどうかを判定する（ステップＳ４１）。有効期限に関する情報がない場合は、マイコン１１は、有効期限について表示させない（ステップＳ４２）。
【００５７】
有効期限に関する情報がある場合は、マイコン１１は、受信した音楽情報管理テーブルにメディア記録媒体を取り扱う店舗の位置情報が含まれているかどうかを判定する（ステップＳ４３）。位置情報が含まれていない場合は、有効期限を表示部２１に表示させる（ステップＳ４４）。位置情報が含まれていない場合は、有効期限内にその店舗にまで到達することができるかどうかは不明であるが、期限を表示することによってユーザに注意を喚起することができる。
【００５８】
位置情報が含まれている場合は、マイコン１１は、現在位置から店舗までの到達予想時刻を算出し（ステップＳ４５）、有効期限内に店舗に到達することが可能かどうかを判定する（ステップＳ４６）。
【００５９】
有効期限内に到達不可能である場合は、マイコン１１は、表示部２１に「特典なし」である旨を表示させる（ステップＳ４７）。有効期限内に店舗へ到達不可能であるのにもかかわらず、特典情報について表示しても、ユーザはその特典を享受することはできないからである。
【００６０】
有効期限内に到達可能である場合は、マイコン１１は、到達予想時刻から有効期限までの時間が所定時間未満であるかどうかを判定する（ステップＳ４８）。所定時間未満ではない場合は、マイコン１１は、有効期限を表示部２１に表示させる（ステップＳ４４）。この場合、ユーザは有効期限内に到着できる可能性が高いと判断して通常どおり有効期限が表示される。
【００６１】
所定時間未満の場合は、マイコン１１は、有効期限を表示部２１に点滅させて表示させる（ステップＳ４９）。このように、点滅表示させることにより有効期限を強調表示させて、有効期限が迫っていることをユーザに通知することができる。
図１１は、有効期限が強調表示される場合の例示図である。有効期限を点滅表示１５０させることにより、有効期限が迫っていることをユーザに通知することができる。
【００６２】
以上のように、マイコン１１は、所定の条件に基づいて前記店舗に関する情報を強調表示させるための処理を行う。これにより、ユーザに重要な情報を通知することができる。
尚、有効期限を強調表示する場合を一例として説明したが、有効期限に関する情報に限られず、店舗の営業時間の終了が迫っているときに、営業時間について上述のような強調表示をするようにしてもよい。
【００６３】
次に、予め設定されたキーワードに関連する補助情報を優先して表示させるための処理の一例について説明する。図１２は、予め設定されたキーワードに関連する補助情報を優先して表示させるための処理の一例を示すフローチャートである。尚、予め設定されたキーワードは、アーティスト名に関するものであり、アーティスト名に関する情報に関連付けられている店舗に関する情報を優先して表示させる場合を一例として説明する。尚、この処理は車載用ナビゲーション装置１０が駆動している間は一定周期で実行される。
【００６４】
マイコン１１は、受信した音楽情報管理テーブルに、予め設定されたアーティスト名に関する情報があるかどうかを判定する（ステップＳ５１）。予め設定されたアーティスト名に関する情報がない場合、マイコン１１は、アーティスト名のアルファベット順に並べて、店舗に関する情報を表示させる（ステップＳ５２）。
【００６５】
予め設定されたアーティスト名に関する情報がある場合、設定されているアーティスト名を先頭にして、店舗に関する情報を表示させる（ステップＳ５３）。
例えば、ユーザは操作部２０により所望のアーティスト名を設定すると、受信した音楽情報管理テーブルに予め設定されたアーティスト名に関する情報がある場合は、そのアーティスト名に関する情報に関連付けられている店舗に関する情報が優先して表示される。これにより、ユーザは予めキーワードを設定することにより、所望の補助情報を優先して表示させることができる。このため、所望の補助情報の見落としを防ぐことができ、複数ある情報の中から所望の情報を探し出す手間を省くことができる。
【００６６】
尚、上記一例では、アーティスト名をキーワードとして優先表示させる場合について説明したが、これに限定されず、例えば音楽のジャンルなどをキーワードとしてもよい。また、上述の処理は、音楽情報管理テーブルを受信する毎に実行してもよいし、ユーザが設定する任意のタイミングで実行してもよい。また、音声情報が、所定の音楽であり、それに関連する補助情報が文字情報として重畳されている場合には、その補助情報を受信した時点で自動的に目的地や経由地の設定をできるようにしてもよい。
【００６７】
以上本発明の好ましい実施例について詳述したが、本発明は係る特定の実施例に限定されるものではなく、特許請求の範囲に記載された本発明の要旨の範囲内において、種々の変形、変更が可能である。
【００６８】
例えば上記実施形態では、車載用ナビゲーション装置を例に説明したが、これに限定されず、文字情報を受信可能に形成されているラジオ受信機や、携帯電話などの携帯端末であってもよい。
【００６９】
また、上記の放送システムでは、管理サーバがＣＤショップからの店舗に関する情報とレコード会社からのメディア記録媒体に関する情報とをＦＭラジオ局に送信するものであるが、このような構成に限定されず、例えばＣＤショップからの店舗に関する情報と、レコード会社からのメディア記録媒体に関する情報とが別々にＦＭラジオ局にまで送信されるように構成してもよい。また、別々の情報を受信して車載用ナビゲーション装置１０で音楽情報管理テーブルを作成するようにしてもよい。
【００７０】
また、ＣＤショップからの店舗に関する情報のみを文字情報として放送するように構成してもよい。
また、店舗に関する情報に、メディア記憶媒体の在庫に関する情報を含めるように構成してもよい。
また、店舗に関する情報は、ＣＤなどを店頭販売するＣＤショップからの情報に限られず、ＣＤやＤＶＤの貸し出しを行うレンタルショップからの情報であってもよい。即ち、メディア記録媒体を取り扱う店舗に関する情報であればよい。
【図面の簡単な説明】
【００７１】
【図１】本発明に係る一実施例の放送システムの全体を示す構成図である。
【図２】管理サーバの処理の一例を示すフローチャートである。
【図３】管理サーバにアップロードされるデータなどの一例を示した図である。
【図４】本発明に係る一実施例の車載用ナビゲーション装置の構成図である。
【図５】表示部に表示される例示図である。
【図６】所定の店舗を目的地又は経由地に設定する場合に表示部に表示される例示図である。
【図７】店舗の位置を目的地又は経由地として設定する処理の一例を示すフローチャートである。
【図８】現在位置から複数の店舗の位置までの経路に応じて、複数の店舗に関する情報を所定の順序で表示させるための処理の一例を示すフローチャートである。
【図９】所定の順序で表示させるための処理により作成された順位テーブルの例示図である。
【図１０】所定の条件に基づいて店舗に関する情報を強調表示させるための処理の一例を示すフローチャートである。
【図１１】有効期限が強調表示される場合の例示図である。
【図１２】予め設定されたキーワードに関連する補助情報を優先して表示させるための処理の一例を示すフローチャートである。
【符号の説明】
【００７２】
１                        放送システム
１０                      車載用ナビゲーション装置
１１                      マイコン
１２                      車速センサ
１３                      ジャイロセンサ
１４                      ＧＰＳ受信機
１５                      ＨＤＤ
１８                      アンプ
１９                      スピーカ
２０                      操作部
２１                      表示部
２２                      多重放送受信装置
１００                    表示リスト
２００、２０１…          ＣＤショップ
２００ａ、２０１ａ…      店舗情報通知部
３００                    レコード会社
３００ａ                  メディア記録媒体情報通知部
４００                    管理サーバ
５００、５０１            ＦＭラジオ局
５００ａ、５０１ａ…      送信部
６００、６０１、６０２…  送信所
【図１】
2007189551.tif 000003
【図２】
2007189551.tif 000004
【図３】
2007189551.tif 000005
【図４】
2007189551.tif 000006
【図５】
2007189551.tif 000007
【図６】
2007189551.tif 000008
【図７】
2007189551.tif 000009
【図８】
2007189551.tif 000010
【図９】
2007189551.tif 000011
【図１０】
2007189551.tif 000012
【図１１】
2007189551.tif 000013
【図１２】
2007189551.tif 000014